【手続補正書】
【提出日】平成24年6月4日(2012.6.4)
【手続補正１】
【補正対象書類名】明細書
【補正対象項目名】０００７
【補正方法】変更
【補正の内容】
【０００７】
本発明は、加圧流体の分配するための携帯式流量計測装置に関するものである。前記携帯式流量計測装置は、プラットホームと、バルブと、流量計と、トリガーレバーと、トリガーリリース機構と、計測電子部品とで構成されている。前記プラットホームは、ブラインドエンドバルブボアと、高圧流体通路と、低圧流体通路と、リリースボアとで構成されている。前記ブラインドエンドバルブボアは、前記プラットホームの中へ延びている。前記高圧流体通路は、前記ブラインドエンドバルブボアの中央に位置する第１軸に沿って伸びている。前記低圧流体通路は、前記ブラインドエンドバルブボアに接する第２軸に沿って伸びている。前記リリースボアは、前記低圧流体通路から間隔を有して配設された前記プラットホームの中へ伸びている。前記バルブは、前記ブラインドエンドバルブボア内に配設され、前記携帯式流量計測装置を通って、前記加圧流体の流れを調節するために前記加圧流体に接続されている。前記流量計は、前記加圧流体の体積流量を計測するために前記加圧流体の流れの中に配設されている。前記トリガーレバーは、前記バルブを機械的に開けるために手動で変位可能に構成されている。前記トリガーリリース機構は、前記リリースボア内に配設され、前記トリガーレバーに接続され、前記トリガーレバーが変位されたときに、前記バルブを開けるのを機械的に防ぐために選択的に作動する。前記計測電子部品は、前記流量計の出力に基づいて前記トリガーリリース機構を作動させるために前記流量計と前記トリガーリリース機構に接続されている。
【手続補正２】
【補正対象書類名】特許請求の範囲
【補正対象項目名】全文
【補正方法】変更
【補正の内容】
【特許請求の範囲】
【請求項１】
分配加圧流体のための携帯式流量計測装置において、
プラットホームの中へ伸びるブラインドエンドバルブボアと、前記ブラインドエンドバルブボアの中央に位置する第１軸に沿って伸びる高圧流体通路と、前記ブラインドエンドバルブボアに接する第２軸に沿って伸びる低圧流体通路と、前記低圧流体通路から間隔を有して配設された前記プラットホームの中へ伸びるリリースボアとで構成される前記プラットホームと、
前記ブラインドエンドバルブボア内に配設され、前記携帯式流量計測装置を通った加圧流体の流れを調節するための加圧流体に接続されるバルブと、
加圧流体の体積流量を測定するための加圧流体の流れの中に配設される流量計と、
前記バルブを機械的に開けるために手動で変位させることができるよう構成されるトリガーレバーと、
前記リリースボア内に配設され、前記トリガーレバーに接続され、前記トリガーレバーが変位されたときに、前記バルブの開状態から前記トリガーレバーを機械的に妨げるために選択的に作動させるトリガーリリース機構と、
前記流量計と前記流量計の出力を基に前記トリガーリリース機構を作動させるために前記トリガーリリース機構に接続される計測電子部品と、で構成されることを特徴とする携帯式流量計測装置。
【請求項２】
ソレノイドと、
第１の位置から第２の位置まで移動するために前記ソレノイドによって直線的に作動されるプランジャーピンと、
前記第１の位置で前記プランジャーピンと解除可能に接続される第１終端と、前記トリガーレバーと回転可能に接続される第２終端とを有するトリップロッドと、を備えることを特徴とする、請求項１に記載の携帯式流量計測装置。
【請求項３】
カラーと、
前記カラーを通って延びる複数のボアと、
前記複数のボアの中に配設される複数のボールベアリングと、を備え、
前記プランジャーピンは、第１の位置にあるときに前記トリップロッドの直線的な変位を抑制するために前記複数のボールベアリングを前記複数のボアの中に押すことを特徴とする、請求項２に記載の携帯式流量計測装置。
【請求項４】
前記トリップロッドは、前記ソレノイドに向かって前記カラーを偏らせるためのリリーススプリングを含むことを特徴とする、請求項３に記載の携帯式流量計測装置。
【請求項５】
前記トリガーレバーと第１ピンから回転可能に延びるジャッキプレートと、
前記トリガーレバーに向け前記ジャッキプレートを傾けるために前記第１ピンの周囲に配設されるロックスプリングと、
前記トリガーレバーと第２ピンから前記ジャッキプレートに噛み合うために延びるラチェットプレートと、で構成され、
前記トリガーレバーと接続されるトリガーロックを更に備えることを特徴とする、請求項４に記載の携帯式流量計測装置。
【請求項６】
前記トリップロッドは、構成要素に平行で分配バルブの作動線に垂直なベクトルに沿って前記トリガーレバーの変位をもたらすよう設けられていることを特徴とする、請求項５に記載の携帯式流量計測装置。
【請求項７】
前記プランジャーピンは、前記複数のボールベアリングに噛み合うための傾斜面を含むことを特徴とする、請求項３に記載の携帯式流量計測装置。
【請求項８】
前記カラーの前記複数のボアは、前記カラーの中に落ちること防ぐために前記複数のベアリングを拘束することを特徴とする、請求項３に記載の携帯式流量計測装置。
【請求項９】
前記ソレノイドは、ラッチングソレノイドで構成されることを特徴とする、請求項３に記載の携帯式流量計測装置。
【請求項１０】
前記計測電子部品は、加圧流体の予め設定された体積流量を前記流量計が計測した後に、前記第１の位置から前記第２の位置に前記プランジャーピンを作動させることを特徴とする、請求項３に記載の携帯式流量計測装置。
【請求項１１】
前記計測電子部品は、通信網から許可を受け取った後に、前記第２の位置から前記第１の位置に前記プランジャーピンを作動させることを特徴とする、請求項３に記載の携帯式流量計測装置。
【請求項１２】
プラットホームを含んで構成される分配加圧流体のための流量計測装置において、
加圧流体を受け入れるために前記プラットホームを通って延びる内部流体通路と、前記内部流体通路と交わるために前記プラットホームの中に延びる一端が閉塞されたバルブボアと、前記バルブボアと隣接する前記プラットホームを通って延びるリリースボアとを含む前記プラットホームと、
前記バルブボアから延び、直線的に作動するバルブステムを有し、前記バルブボアに配設され、前記内部流体通路を通って加圧流体の流れを調節するためのバルブと、
前記リリースボアの上の前記プラットホームに接続される第１の位置と第２の位置との間で直線的に作動するプランジャーピンを有するソレノイドと、前記リリースボアの中に延びるように前記ソレノイドから射出される前記プランジャーピンと、前記プランジャーピンと作動可能に接続される第１終端と、第２終端とを有し前記リリースボアの中に配設されるトリップロッドとを含み、前記リリースボアに接続されるリリース機構と、
前記バルブステムと噛み合うために延び、前記トリップロッドの前記第２終端に回転可能に接続されるトリガーレバーと、
前記トリップロッドの前記第２端への接近を制限するために前記プラットホームに接続され、前記リリースボアを覆うようにフランジブルカバープレートを保持し、前記フランジブルカバープレートを除去することで破壊される複数のタブを含む前記フランジブルカバープレートと、を含んで構成され、
前記第１の位置では、前記プランジャーピンは、前記トリップロッドの前記第２終端は、前記バルブを作動させるための前記トリガーレバーの作動可能とする回転固定位置を備えるように、前記トリップロッドの前記第１終端に接合され、
前記第２の位置では、前記プランジャーピンは、前記トリガーレバーの作動によって前記リリースボアの中で前記トリップロッドが滑動可能なように前記トリップロッドから接合が解除されることを特徴とする流量計測装置。
【請求項１３】
更に前記トリップロッドは、
前記トリップエンドの第１終端に配設されるカラーと、
前記カラーを通って延びる複数のテーパ形状のボアと、
前記複数のテーパ形状のボアの中に配設される複数のボールベアリングと、を含み、
前記プランジャーピンは、前記プランジャーピンと前記リリースボアの間に前記複数のボールベアリングを押し込み、前記カラーの直線的な変位を抑制するために前記第１の位置に伸びることを特徴とする、請求項１２に記載の流量計測装置。
【請求項１４】
前記ソレノイドに向かって前記カラーを偏らせるために前記リリースボアの中で前記トリップロッドを取り囲むリリーススプリングと、
閉位置に前記バルブを偏らせるために前記バルブボアの中で前記バルブステムと前記プラットホームとの間に配設されるバルブスプリングと、
前記トリガーレバーと第１ピンから回転可能に延びるジャッキプレートと、前記トリガーレバーに向かって前記ジャッキプレートを偏らせるために前記第１ピンの周りに配設されるロックスプリングと、前記ジャッキプレートと噛み合うために前記トリガーレバーと前記第２ピンから延びるラチェットプレートとを有するトリガーロックと、を更に含んで構成されることを特徴とする、請求項１３に記載の流量計測装置。
【請求項１５】
前記プランジャーピンの作動線は、前記リリースボアでの前記トリップロッドの移動が前記バルブステムの周りで前記トリガーレバーの回転を起こすように鋭角の角度で前記バルブステムの作動線と交差するように配設されることを特徴とする、請求項１４に記載の流量計測装置。
【請求項１６】
前記加圧流体の体積流量を計測するために内部流体通路の中に配設される流量計測部と、
ディスプレイと、ユーザーインターフェースと、通信電気回路とを有し、前記ソレノイドと前記流量計測部とに接続され、前記流量計測部を通った流体の流れを制限するための計測電子部品と、を更に含んで構成されることを特徴とする、請求項１２に記載の流量計測装置。
【請求項１７】
前記計測電子部品は、前記流量計測部が前記加圧流体の予め設定された体積流量を計測した後に、前記第１の位置から前記第２の位置に前記プランジャーピンを作動することを特徴とする、請求項１６に記載の流量計測装置。
【請求項１８】
前記計測電子部品は、前記通信電気回路を通って許可を受信した後に、前記第２の位置から前記第１の位置に前記プランジャーピンを作動することを特徴とする、請求項１６に記載の流量計測装置。
【請求項１９】
トリガーレバーによって直線的に作動するバルブステムを有する流量計測装置のためのトリガーリリース機構において、
前記トリガーリリース機構は、
ソレノイドと、
前記ソレノイドに含まれ、第１延伸位置と第２収縮位置との間で直線的に作動し、前記ソレノイド内に配置された第１終端と、先端を有する第２終端と、前記第１端から前記第２端まで下降して、前記第１端と前記第２端との間に延びる傾斜軸とを含み、前記ソレノイドから出るプランジャーピンと、
トリップロッドの第１終端に配設され、前記プランジャーピンを受けるために構成される外径と内径とからなるカラーと、前記カラーを通って延び、それぞれに前記内径の第２終端と前記第２終端よりも大きな径を有する前記外径の第１終端とを備える複数のボアと、前記複数のボアの中に配設され、前記プランジャーピンが前記第１延伸位置にある時に前記傾斜軸の周囲の前記プランジャーピンを取り巻くように構成される複数のボールベアリングとを含み、前記プランジャーピンと解除可能に接続される第１終端と、前記トリガーレバーと接続される第２終端とを有する前記トリップロッドと、
前記ソレノイドに向かって前記トリップロッドを偏らせるために前記カラーに面し、前記トリップロッドを取り囲むリリーススプリングと、を含んで構成されることを特徴とするトリガーリリース機構。
【請求項２０】
前記複数のボアは、前記複数のボールベアリングが前記カラーに完全に移動することを防ぐために先細りにされることを特徴とする、請求項１９に記載のトリガーリリース機構。
【請求項２１】
前記プランジャーピンは、前記複数のボールベアリングと接合するための傾斜端を含むことを特徴とする、請求項１９に記載のトリガーリリース機構。
【請求項２２】
前記ソレノイドは、ラッチングソレノイドで構成されることを特徴とする、請求項１９に記載のトリガーリリース機構。
【請求項２３】
前記加圧流体を受け取るために、前記プラットホームの外側に位置する第１入口終端と、前記ブラインドエンドバルブボアと交差するように前記プラットホームの中へ延びる第１注入端とで構成され、前記第１軸に沿って前記第１入口端から前記第１注入端へ延びる前記高圧流体通路と、
前記流量計測装置から前記加圧流体を流入するための前記プラットホームの外側に位置する第２注入端と、前記ブラインドエンドバルブボアと交差するように前記プラットホームの中へ延びる第２入口端とで構成され、前記第２軸に沿って前記第２入口端から前記第２注入端へ延びる前記低圧流体通路と、
前記高圧流体通路と前記ブラインドエンドバルブボアに沿って、前記低圧流体通路に隣接した前記プラットホームの中へ延びる前記リリースボアと、を備えることを特徴とする、請求項１に記載の携帯式流量計測装置。